(57)【特許請求の範囲】
【請求項１】
本体１は再製紙を素材にして製造し、枠組２を設け、枠組２へ挿入されるＬ字パッド３及び側パッド４を設け、
枠組２に於いて、厚紙又は両面段ボールを素材に用い、底板５を設け、底板５の長手方向の背縁へ谷折り線を介して背板６を設け、
底板５の一方の側領域へＬ字パッド３を挟んで挿入する為に高台板７を設け、高台板７は内側を擡げ板８によってパッドの厚み分だけの高さに持ち上げられ、外側は段違い折線９によって同寸の高さに持ち上げられ、段違い折線９を介して側外板１０を設け、谷折り線を介して外側へ折り曲がった類似Ｌ字形状の側天板１１を設け、側天板１１の側外縁は背方へ向けて内側へ傾斜した折線で、この折線を斜止め折線１２と称して設け、斜止め折線１２を介して側内板１３をを設け、側内板１３の側縁の背方領域を部分的に外側へ突出させて側入り片１４を設け、側入り片１４は差し込んだ状態でロックする事から正面方向へ僅かに突出させたフック凸片１５を設け、側天板１１の背縁へ谷折り線を介して背入り片１９を設け、
背板６の一方の側縁へ高台板７の高さ分だけ底領域を空けて、谷折り線を介して両側の長くなったコの字形状で側内枠１６を設け、側内枠１６の側端へ山折り線を介して枠背片１７を設け、側内枠１６内へは側パッド４を収納し、
Ｌ字パッド３は接着剤を塗布した片面段ボールを多重構造に巻いて、接着剤が乾く前にＬ字状に折り曲げて固定した物であり、側パッド４は片面段ボールを多重構造にして接着固定した物であり、Ｌ字パッド３の横幅は側パッド４の厚み分だけ狭くなっており、
組立て順序は、高台板７の下へＬ字パッドを収納し、擡げ板８の中央を切り抜いて底板５と連接して側方向へ部分的に突出させて底凸片１８を設けてＬ字パッドの下へ挟み込んで脱落を防止し、側内枠１６へ側パッド４を収納し、背板６を折り起こす事によってＬ字パッド３の側面の空白域を側パッド４が塞いでコーナーパッド形状となり、側内枠１６を側天板１１と側内板１３とによって縦方向に巻き込んで、フック凸片１５を高台板７の背縁へ引っ掛ける事によって固定できる様にした、組立てコーナー固定パッド。
【発明の詳細な説明】
【０００１】
【発明の属する技術分野】
本発明は、壊れ物を輸送する場合、破損を防止する目的でコーナーを固定する為の組立て式コーナーパッドに関する。
【０００２】
【従来の技術】
従来のコーナーパッドは発泡スチロール製で、梱包物の形状にフィットさせて成型した物であった。
【０００３】
【発明が解決しようとする課題】
従来の物は、梱包物にフィットしている事から固定緩衝能力には優れており、何の問題も無かったが、素材が発泡スチロールである事から、製造や焼却に問題が有り、折り畳む事ができず、嵩張る物であり、本発明では前記の問題点の解決を目的とする。
【０００４】
【課題を解決するための手段】
再製紙を素材に、腰のある紙シートを折り曲げて組み立てる枠組へ緩衝的役割を果たすＬ字パッドと側パッドを収納する事によって、接着剤で固定せず、組み込むだけで組立てを完了させる。
【０００５】
【発明の実施の形態】
発明の実施の形態について図面を参照して説明すると、パッドを収納する前段階で示した斜視図の図１に於いて、本体１は枠組２を設け、枠組２へ収納するＬ字パッド３及び側パッド４を設け、
枠組２に於いて、底板５を設け、背縁へ谷折り線を介して背板６を設け、
底板５の一方の側領域へＬ字パッド３を収納する為の高台板７を設け、高台板７は内側領域を背方へ突出させたＬ字形状であり、内側縁へ山折り線を介して擡げ板８を設け、擡げ板８の内側縁は谷折り線を介して底板５と連接しており、擡げ板８を直角に折り立てる事によって高台板７は内側から持ち上げられ、擡げ板８の中央を縦に貫いた形状で切抜き、底板５と連結して突出させる事によって底凸片１８を設け、高台板７の外側縁は段違い折線９によって持ち上げられ、段違い折線９を介して側外板１０を設け、側外板１０を折り起こす事によって段違い折線９は段の高さが違った状態で折り曲がり、側外板１０の側外縁へ谷折り線を介して側天板１１を設け、側天板１１は背領域を外側へ突出させたＬ字形状であり、背縁へ谷折り線を介して背入り片１９を設け、Ｌ字状に突出しない側外縁は背方へ向けて内側へ僅かに傾斜した谷折り線であり、この谷折り線を斜止め折線１１と称し、斜止め折線１１を介して側内板１３を設け、側内板１３の外縁の背部領域へ折線を介して側入り片１４を設け、側入り片１４は高台板７の背縁へ引っ掛って固定される事から正面方向へ僅かに膨らんで突出したフック凸片１５を設け、高台板７はＬ字形状で背方へ突出しているが、突出の背縁はＬ字パッド３の厚み分だけ背領域は開いており、
背板６の一方の側縁へ谷折り線を介して組立て時に前後方向に細長いコの字形状の側内枠１６を設け、側内枠の側端縁へ山折り線を介して枠背片１７を設け、側内枠１６の底板５方領域は高台板７の高さ分だけ空いており、
Ｌ字パッド３は片面段ボールの段を内側にして接着剤を塗布して巻き、接着剤が固まらない内にＬ字状に折り曲げ、Ｌ字形状を保ったまま接着剤が固まる事によってＬ字形状に成型できる物であり、
側パッド４は片面段ボールを接着剤で貼り合わせる事によって多重構造にして厚みを増した物である。
【０００６】
パッドを収納して折り起こした状態で示した斜視図の図２に於いて、高台板７へＬ字パッド３を収納し、側内枠１６へ側パッド４を収納し、底板５の背縁を折り曲げて背板６を折り起こす事によって、Ｌ字パッド３の側空白域へ側パッド４が来て、角の三面を覆うコーナーパッドの形状と成り、Ｌ字パッド３の背部へ枠背片１７が挟まれているので、側内枠１６の側端は正面へ跳ね返らない。
【０００７】
図２で示した物を下方から示した斜視図の図３に於いて、Ｌ字パッド３は高台板７の下に収納され、底凸片１８が下から支えて挟み込んでいる事によって、Ｌ字パッド３が下へ食み出る事を防止している。
【０００８】
側入り片を差し込む前の状態で示した斜視図の図４に於いて、側内枠１６を縦方向に巻き込む事によって固定するのであり、高台板７から側板１０を折り起こし、谷折り線を介して側天板１１を折り込み、斜止め折線１２を介して側内板１３を折り下げ、Ｌ字パッド３の側面へ側入り片１４を差し込むのであり、この差し込んだ状態をロックする為、フック凸片１５を高台板７の背縁へ引っ掛ける。
【０００９】
組立てた状態で示した斜視図の図５に於いて、本体１は一方だけのコーナーパッドであっても良いが、両側の角を連結した状態で固定する方が固定能力に優れる事から、両角を対にした状態で設け、側内板１３は斜止め折線１２を介して側天板１１と連結している事によって、側内板１３は斜め背方に有するＬ字パッド３の縦壁へ押し付けられるので、フック凸片１５の引っ掛かりが解けても、側内板１３の跳ね上がりを防止する。
【００１０】
枠組２を展開した状態で示した平面図の図６に於いて、枠組２は横に細長い矩形の両面段ボールを素材に用い、長手方向と平行にして中芯の波山を設け、中央を長手方向の谷折り線を介して正面領域の中央領域へ底板５を設け、背面領域の中央領域へ背板６を設け、
底板５の両側領域の正面寄り箇所へ内側を背方へ突出させたＬ字形状で高台板７を対で設け、高台板７は内側を擡げ板８を介して底板５と連接しており、擡げ板８の中央を幅方向に貫く状態で切抜き底板５と連結して底凸片１８として設け、高台板７の外側は段違い折線９を介して側外板１０と連接し、側縁の谷折り線を介して背領域が外側へ突出したＬ字形状で側天板１１を設け、背縁へ谷折り線を介して背入り片１９を設け、側天板１１の突出しない側外縁へ背方へ向けて内側へ僅かに傾斜す角度を有して斜止め折線１２を設け、斜止め折線１２を介して側内板１３を連接して設け、側外縁の背方領域へ谷折り線を介して側入り片１４を設け、正面方向へ僅かに突出して内側を鍵型にした形状のフック凸片１５を設け、
背板６の両側縁へ段違い折線９の段差分だけ底板５から空けて、谷折り線を介して両側が長いコの字形状に折り曲げられる側内枠６を設け、側外縁へ山折り線を介して枠背片１７を設ける。
【００１１】
【発明の効果】
Ｌ字パッドによって底面と背面を覆い、側パッドによって側面を覆う事によって角の三面は包まれてコーナーのパットの働きを成し、両パッドを枠組に収納して組み込みで組立てる事によって、接着剤で固定しなくても組立てる事ができ、枠組が平面シートに成る事から、場所を取らず、再製紙を用いている事から、製造や焼却に問題が生じない。
【図面の簡単な説明】
【図１】パッドを収納する前段階で示した斜視図。
【図２】パッドを収納して折り起こした状態で示した斜視図。
【図３】図２で示した物を下方から示した斜視図。
【図４】側入り片を差し込む前の状態で示した斜視図。
【図５】組立てた状態で示した斜視図。
【図６】枠組２を展開した状態で示した平面図。
【符号の説明】
２  枠組
３  Ｌ字パッド
４  側パッド
５  底板
６  背板
７  高台板
８  擡げ板
９  段違い折線
10  側外板
11  側天板
12  斜止め折線
13  側内板
14  側入り片
15  フック凸片
16  側内枠
17  枠背片
18  底凸片
19  背入り片
【図１】
0003642850.tif 000002
【図２】
0003642850.tif 000003
【図３】
0003642850.tif 000004
【図４】
0003642850.tif 000005
【図５】
0003642850.tif 000006
【図６】
0003642850.tif 000007